(57)【特許請求の範囲】
【請求項１】
プロテクター付ダイヤモンドコアドリルにおいて、
樹脂製のモータハウジング（２１）と、
該モータハウジング（２１）に内蔵されたモータと、
該モータに接続されていて減速機筐体内に配置される減速機と、
該減速機の主軸（２７）に取り付けられるコアビット（２６）に注水するための給水栓（２８）と、
前記モータハウジング（２１）の一側において前記主軸（２７）に対して平行に延びる第一の持ち手（２４）と、
前記モータハウジング（２１）と第一の持ち手（２４）との間に配置されていて前記ダイヤモンドコアドリルを支柱に取付ける取付部（２３）と、
前記モータハウジング（２１）を保護するプロテクター（３０）とを具備し、
該プロテクター（３０）は、
前記第一の持ち手（２４）とは反対側に位置する前記モータハウジング（２１）の他側上において前記主軸（２７）に対して垂直に延びる第二の持ち手（３１）と、
該第二の持ち手（３１）の両端部と前記減速機筐体（２５）とを連結する二つの側板（３２、３２’）と、
前記主軸（２７）とは反対側に位置するモータハウジング（２１）の端面を越えて前記側板（３２、３２’）から延びる突出部（３４、３４’）とを含んでおり、
前記第一の持ち手（２４）を上方にして前記ダイヤモンドコアドリルを水平にした場合には、前記プロテクターの前記第二の持ち手（３１）と前記減速機筐体（２５）とが床に接触し、
前記主軸（２７）を上方にして前記ダイヤモンドコアドリルを縦にした場合には、前記第一の持ち手（２４）と前記プロテクターの前記突出部（３４、３４’）とが床に接触するようにした、プロテクター付ダイヤモンドコアドリル。
【請求項２】
前記プロテクター（３０）は第二の持ち手（３１）部分で２分割され、該２分割された持ち手（３０）部分をねじ（３６）により結合し一体化したことを特徴とする請求項１記載のプロテクター付ダイヤモンドコアドリル。
【請求項３】
前記プロテクター（３０）の第二の持ち手（３１）部分を絶縁性を有する材料で被覆したことを特徴とする請求項１記載のプロテクター付ダイヤモンドコアドリル。
【請求項４】
前記側板（３２、３２’）には前記モータのブラシを保守するのに使用される孔（３３）が形成されている請求項１に記載のプロテクター付ダイヤモンドコアドリル。
【発明の詳細な説明】
【０００１】
【発明の属する技術分野】
本発明はダイヤモンドコアドリルに関する。詳しくは、運搬時の衝撃等に対して樹脂製のモータハウジング部を保護するためにプロテクターを取り付けたプロテクター付ダイヤモンドコアドリルに関する。
【０００２】
【従来の技術】
従来、ダイヤモンドコアドリルを用いてコンクリート等を穿孔する場合には、切削により加熱されるコアビットに水を注いで冷却し、該コアビットの消耗を軽減すると共に、切粉を流し出してコアビットの目詰りを防ぎ、切れ味を良好に保つ湿式加工法が多く行われている。
【０００３】
図６は従来の注水式の湿式加工用のダイヤモンドコアドリルの一例を示す図で、（ａ）は正面図、（ｂ）は側面図である。同図において、１はコアドリル本体であり、上方にモータハウジング２に内蔵された電動機が配置され、その下方に減速機筐体３が配置されている。減速機筐体３には支柱４への取り付け部５および持ち手６が形成され、取り付け部５により支柱４に支持されラック７により昇降自在となっている。また８は主軸であり、モータにより減速機を介して駆動され、該主軸８には筒状のコアビット９が螺着されている。またコアドリル本体１の下端には注水栓１０が設けられている。
【０００４】
そして、該ダイヤモンドコアドリルを使用する時は、注水栓１０より水を供給しながらコアビット９を回転させ、コンクリート等の被加工物を穿孔するのである。このとき注水口１０より注水された水は主軸８に設けられた孔を通ってコアビット９に供給され、該コアビット９の冷却と切り粉の除去を行うようになっている。
【０００５】
【発明が解決しようとする課題】
上記従来のダイヤモンドコアドリルは、水を用いて作業を行うので、作業者に感電の恐れがあり、そのためモータは二重絶縁としている。シリースモータを二重絶縁する条件としてモータハウジング部２を樹脂ボディとしている。また、モータを取り付けている減速機のギヤケース部の筐体３はアルミ製であり、該筐体３にモータハウジング２をねじ１１により取り付けている。このねじ１１を締め込むと樹脂製のモータハウジング２が変形する。このためモータハウジング部とギヤケース部の結合強度が充分にとれていない。
【０００６】
このため、次のような問題が生ずる。即ち、コアドリルを運搬する際はコアドリル本体１を支柱４から取り外して行うが、その場合床にコアドリル本体１を直におくとモータハウジング部２に直接、外部から衝撃力が加わるため、モータの樹脂ボディがコアずれを起こし、モータ焼損等の原因となる。
【０００７】
本発明は上記従来の問題点に鑑み、コアドリルの運搬時に衝撃から保護することができるプロテクター付ダイヤモンドコアドリルを実現することを目的とする。
【０００８】
【課題を解決するための手段】
本発明の請求項１は、樹脂製のモータハウジング２１と、該モータハウジング２１に内蔵されたモータと、該モータに接続された減速機と、該減速機の主軸２７に取り付けられるコアビット２６に注水するための給水栓２８とを具備したダイヤモンドコアドリルにおいて、持ち手３１と、該持ち手３１の両端より延びる側板３２，３２′とよりなるプロテクター３０を、前記モータハウジング２１を保護するように減速機筐体２５にねじ固定して成ることを特徴とする。また、請求項２は、前記プロテクター３０は持ち手３１部分で２分割され、該２分割された持ち手３０部分をねじ３６により結合し一体化したことを特徴とする。また、請求項３は、前記プロテクター３０の持ち手３１部分を絶縁性を有する材料で被覆したことを特徴とする。
【０００９】
この構成を採ることにより、図４に示すように、コアドリル本体を床上に置くときにはプロテクター３０がモータハウジング２１より先に床４０に接触してモータハウジング２１を床４０に接触させず該モータハウジング２１を保護することができる。
【００１０】
【発明の実施の形態】
図１は本発明の実施の形態を示す図で、（ａ）は正面図、（ｂ）は側面図である。本実施の形態は、モータハウジング２１に内蔵された電動機と、支柱２２への取り付け部２３および持ち手２４が形成された減速機筐体２５と、モータにより減速機を介して駆動され且つコアビット２６が取り付けられる主軸２７と減速機筐体２５に設けられた給水栓２８とを具備したコアドリル本体２０が支柱２２にラック２９により昇降自在に支持されていることは図６で説明した従来例と同様である。
【００１１】
本実施の形態の特徴は、図１に示すように減速機筐体２５とモータハウジング２１とにねじ結合してモータハウジング２１を保護するようにしたプロテクター３０を設けたことである。
【００１２】
図２および図３は上記プロテクター３０を示す図で、図２は斜視図、図３（ａ）は平面図、図３（ｂ）は側面図である。このプロテクター３０は、強化プラスチック又は金属で形成されるが、軽く且つ強度を有するアルミニュウム合金を用いることが好ましい。
【００１３】
そして該プロテクター３０は持ち手３１の両端に、互いに略平行する側板３２，３２′が形成され、該側板３２，３２′は中央部にはモータのブラシ保守用の孔３３と、床置時の座となる突出部３４とが形成され、持ち手３１から遠い端部には減速機筐体２５に取付けるためのボルト孔３５が形成されている。なお、側板３２，３２′は減速機筐体に取付けたとき、モータハウジング２１に適当な間隔を保つように外方へ膨らませて形成されている。
【００１４】
また、本プロテクター３０は、図３において、持ち手３１部分で２分割され、ねじ３６により一体となるように結合されているが、２分割せずに初めから一体に形成しても良い。また、該持ち手３１にはゴム３７等で被覆することが好ましい。そして本プロテクター３０は、図１に示すように、モータハウジング２１を保護するように減速機筐体２５にねじ３８により固設されている。この際プロテクター３０の側板３２，３２′のブラシ保守用の孔３３はモータのブラシを保守できる位置に位置している。従ってブラシ保守時にプロテクター３０を取り外す必要はない。
【００１５】
このように構成された本実施の形態はコアドリル本体２０を支柱２２より取り外して床に置くとき、図４（ａ）に示すようにコアドリル本体２０を水平にした場合は、床４０にプロテクター３０の持ち手３１と減速機筐体２５が接触し、モータハウジング２１を床４０に接触しないようにすることができる。
【００１６】
また、図４（ｂ）の如くコアドリル本体２０を縦にした場合は、コアドリル本体２０の持ち手２４とプロテクター３０の突出部３４とが床４０に接触してモーターハウジング２１が床４０に接触しないようにしている。このようにしてプロテクター３０はモータハウジング２１を保護することができる。
【００１７】
また本実施の形態は、図５に示すように、コアドリル本体２０を持ち運ぶ際、状況に応じて（ａ）図の如くプロテクター３０の持ち手３１を片手で持つこともできるし、または（ｂ）図の如くコアドリル本体２０の持ち手２４とプロテクター３０の持ち手３１とを両手で持ち安全に運搬することもできる。
【００１８】
またコアドリル本体を支柱にセットする時も、プロテクターの持ち手３１で持ち上げることができるようになったため、従来の持ち手２４でセットするよりも安全に重い本体をセットすることが可能となった。
【００１９】
【発明の効果】
本発明のプロテクター付ダイヤモンドコアドリルに依れば、持ち手と、該持ち手の両端から延びる側板からなるプロテクターをモータハウジングと減速機筐体に跨設したことにより、該コアドリルを運搬するとき、支柱から取り外したコアドリル本体をプロテクターにより衝撃より保護することができ、モータの故障を等を防止することができる。
【図面の簡単な説明】
【図１】本発明の実施の形態を示す図で、（ａ）は正面図、（ｂ）は側面図である。
【図２】本発明の実施の形態におけるプロテクターを示す斜視図である。
【図３】本発明の実施の形態におけるプロテクターを示す図で、（ａ）は平面図、（ｂ）は側面図である。
【図４】本発明の実施の形態の作用を説明するための図である。
【図５】本発明の実施の形態の作用を説明するための図である。
【図６】従来のダイヤモンドコアドリルを示す図で、（ａ）は正面図、（ｂ）は側面図である。
【符号の説明】
２０…コアドリル本体
２１…モータハウジング
２２…支柱
２３…取り付け部
２４，３１…持ち手
２５…減速機筐体
２６…コアビット
２７…主軸
２８…給水栓
２９…ラック
３０…プロテクター
１２，３２′…側板
３３…ブラシ保守用孔
３４…突出部
３５…ボルト孔
３６，３８…ねじ
３７…ゴム被覆
【図１】
0004219006.tif 000002
【図２】
0004219006.tif 000003
【図３】
0004219006.tif 000004
【図４】
0004219006.tif 000005
【図５】
0004219006.tif 000006
【図６】
0004219006.tif 000007